【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
マルチモード電子医療装置であって、
装置ハウジングと、
ドアの第１の端部に沿って前記装置ハウジングの前面にヒンジで取付けられた前記ドアであって、開位置および閉位置を有する前記ドアと、
前記ドアの第１の端部から離間して前記ドアに取付けられた第１の磁石であって、前記ドアに付与される磁力が、前記ヒンジ周りの前記ドアにモーメントを及ぼす前記第１の磁石と、
前記装置ハウジング内に取付けられ、且つ前記第１の磁石との磁気的相互作用によって前記ドアを閉じたままにするように位置決めされた第２の磁石と、
第３の磁石に取付けられた、ユーザによって移動可能なモード変更機構であって、前記マルチモード電子医療装置が第１のモードにある場合は、前記第１および第２の磁石との近接状態にない位置に第３の磁石を保持するように構成され、前記マルチモード電子医療装置が第２のモードにある場合には、第３の磁石を移動させて第１および第２の磁石に近接させて、第１の磁石を前記装置ハウジングから離間するように移動させて、前記ドアを開け、前記ドアの背後に配置されたアイテムを露出させるように構成される、前記モード変更機構とを備えるマルチモード電子医療装置。
【請求項２】
前記ユーザによって移動可能なモード変更装置は、回転スイッチを含み、前記第３の磁石は、ノブの中心を外れた部分に設けられている、請求項１に記載のマルチモード電子医療装置。
【請求項３】
前記第２の磁石は、前記マルチモード電子医療装置が前記第２のモードにある場合は、前記第１の磁石と前記第３の磁石との間に配置されて、前記第１の磁石が、前記第２の磁石の極性を変更する、請求項１に記載のマルチモード電子医療装置。
【請求項４】
前記マルチモード電子医療装置が前記第１のモードにある場合は、前記ドアによって隠れる領域内に配設された１つ以上の、ユーザによって操作可能な装置をさらに備える、請求項１に記載のマルチモード電子医療装置。
【請求項５】
前記マルチモード電子医療装置が前記第１のモードにある場合は、前記マルチモード電子医療装置のユーザから隠れており、および前記マルチモード電子医療装置が前記第２のモードにある場合には、ユーザが見えるようにバックライト付きになっている複数の可視インジケータをさらに備える、請求項４に記載のマルチモード電子医療装置。
【請求項６】
第２の磁石は、前記マルチモード電子医療装置内で自由に回転できるように設けられている球状磁石を含む、請求項１に記載のマルチモード電子医療装置。
【請求項７】
マルチモード電子医療装置であって、
装置ハウジングと、
前記装置ハウジングの前面に取付けられたパネルであって、開位置および閉位置を有する前記パネルと、
前記パネルに取付けられた第１の磁石と、
前記マルチモード電子医療装置のユーザによって移動可能な機構に取付けられた第２の磁石であって、前記マルチモード電子医療装置のユーザによって移動可能な機構は、第１の位置から第２の位置への第２の磁石の動きによって、前記マルチモード電子医療装置を第１のモードから第２のモードに変更し、前記マルチモード電子医療装置が第１のモードから第２のモードに変わるときに、第１の磁石に対して第２の磁石を移動させて、前記パネルを前記閉位置から前記開位置に自動的に移動させる、前記第２の磁石とを備える、マルチモード電子医療装置。
【請求項８】
前記第１のモードは、二次救命処置モードであり、前記第２のモードは、除細動器の一次救命処置モードである、請求項７に記載のマルチモード電子医療装置。
【請求項９】
ドアは、前記パネルの第１の端部に沿ったヒンジを含み、
前記第１の磁石は、前記第１の端部の反対側である第２の端部に沿って前記パネルに取付けられる、請求項７に記載のマルチモード電子医療装置。
【請求項１０】
前記マルチモード電子医療装置が前記第２のモードにある場合に、前記第１の磁石と前記第２の磁石との間に位置するように配置された第３の磁石をさらに備える、請求項７に記載のマルチモード電子医療装置。
【請求項１１】
前記第３の磁石は、前記第２の磁石が前記第３の磁石に近接した場合に、極性を変えるように配置される回転可能な球状磁石である、請求項１０に記載のマルチモード電子医療装置。
【請求項１２】
前記ユーザによって移動可能な機構は、回転可能であり、且つユーザによって操作可能なノブを備え、
前記第２の磁石は、前記ノブの端部に取付けられる、請求項７に記載のマルチモード電子医療装置。
【請求項１３】
前記マルチモード電子医療装置が第１のモードにある場合は、前記マルチモード電子医療装置のユーザから隠れており、前記マルチモード電子医療装置が前記第２のモードにある場合には、ユーザが見えるようにバックライト付きになっている複数の可視インジケータをさらに備える、請求項７に記載のマルチモード電子医療装置。
【請求項１４】
前記マルチモード電子医療装置が前記第１のモードにある場合に、第１のセットの命令を表示し、前記マルチモード電子医療装置が第２のモードにある場合には、異なる第２のセットの命令を表示するようにプログラムされたプロセッサに接続された電子表示装置をさらに備える、請求項７に記載のマルチモード電子医療装置。
【請求項１５】
前記プロセッサは、前記電子表示装置に表示された命令と協働して前記マルチモード電子医療装置のユーザに可聴命令を与えるようにプログラムされる、請求項１４に記載のマルチモード電子医療装置。
【請求項１６】
マルチモード電子医療装置であって、
装置ハウジングと、
前記装置ハウジングに取付けられた可動ドアであって、開位置および閉位置を有する前記可動ドアと、
前記可動ドアに取付けられた第１の磁石と、
前記マルチモード電子医療装置が第１のモードから第２のモードに切替えられた場合に、前記第１の磁石との磁気的協働により、前記可動ドアを第１の位置から第２の位置へ移動させるための手段とを備える、マルチモード電子医療装置。
【請求項１７】
マルチモード医療装置を操作する方法であって、
前記マルチモード医療装置の電源を入れること、
前記マルチモード医療装置上の制御部を、前記マルチモード医療装置の第１の動作モードに対応する第１の位置から、前記マルチモード医療装置の第２の動作モードに対応する第２の位置へ動かすこと、
前記制御部に取付けられた第１の磁石を、前記第１の位置から前記第２の位置へ動かすこと、
第１の磁石との磁気的相互作用を生成して、前記マルチモード医療装置上の可動ドアに取付けられている第２の磁石によって、前記可動ドアを前記第１の位置から前記第２の位置へ動かすこと、
前記可動ドアを前記第１の位置から前記第２の位置へ動かすことと協働して、前記マルチモード医療装置を第１のモードから第２のモードに電子的に移行することを備える、方法。
【請求項１８】
前記第１のモードは、体外除細動器の一次救命処置モードであり、前記第２のモードは、体外除細動器の二次救命処置モードである、請求項１７に記載の方法。
【請求項１９】
前記制御部を動かすことは、前記マルチモード医療装置の前面のノブを回転させることを含む、請求項１７に記載の方法。
【請求項２０】
前記第１の磁石との磁気的相互作用を生成することは、既に前記可動ドアを第１の位置に保持している第３の磁石に第１の磁石を近接させることを含む、請求項１７に記載の方法。